(57)【要約】【課題】工期を短縮し、補強工事を安全で低コストにすることが可能なコンクリート構造物補強工法を提供することを目的とする。【解決手段】コンクリート構造物補強工法において、内面に有機系又は無機系のメッシュ状繊維シートを貼付した型枠を設置し、型枠内に未硬化のコンクリートモルタルを充填し、コンクリートモルタルの硬化後脱型し、硬化したコンクリート表面にメッシュ状繊維シートが固着された状態とすることを特徴とする。【選択図】  図１
2016125313.tif 000002
【特許請求の範囲】
【請求項１】
内面に有機系又は無機系のメッシュ状繊維シートを貼付した型枠を設置し、型枠内に未硬化のコンクリートモルタルを充填し、コンクリートモルタルの硬化後脱型し、硬化したコンクリート表面にメッシュ状繊維シートが固着された状態とすることを特徴とするコンクリート構造物補強工法。
【請求項２】
内面に有機系又は無機系のメッシュ状繊維シートを貼付した化粧ボード又は断熱ボードから形成される永久型枠を設置し、永久型枠内に未硬化のコンクリートモルタルを充填し、コンクリートモルタルを硬化させ永久型枠、メッシュ状繊維シート及びコンクリートを一体化することを特徴とするコンクリート構造物補強工法。
【請求項３】
既存コンクリート構造物の周囲に一定間隔を開けて内面に有機系又は無機系のメッシュ状繊維シートを貼付した型枠を配置し、前記既存コンクリート構造物と型枠との間に未硬化のコンクリートモルタルを充填し、コンクリートモルタルの硬化後脱型し、硬化したコンクリート表面にメッシュ状繊維シートが固着された状態とすることを特徴とするコンクリート構造物補強工法。
【請求項４】
既存コンクリート構造物の周囲に一定間隔を開けて内面に有機系又は無機系のメッシュ状繊維シートを貼付した化粧ボード又は断熱ボードから形成される永久型枠を設置し、永久型枠内に未硬化のコンクリートモルタルを充填し、コンクリートモルタルを硬化させ永久型枠、メッシュ状繊維シート及びコンクリートを一体化することを特徴とするコンクリート構造物補強工法。
【請求項５】
既存コンクリート構造物の周囲に充填されるコンクリートモルタルと既存コンクリート構造物の一体化を向上させる定着アンカーを既存コンクリート構造物に複数打設することを特徴とする請求項３又は４に記載のコンクリート構造物補強工法。
【請求項６】
メッシュ状繊維シートをガラス繊維、炭素繊維、ビニロン繊維、ポリエチレン繊維のいずれかとすることを特徴とする請求項１ないし５のいずれか１項に記載のコンクリート構造物補強工法。
【発明の詳細な説明】
【技術分野】
【０００１】
本発明は、本発明は、建築、土木分野のコンクリート構造物の補強工法に関し、特にコンクリート構造物表面にメッシュ状繊維シートを配置することを特徴とするコンクリート構造物補強工法に関する。
【背景技術】
【０００２】
コンクリート構造物のひび割れ防止等の表面保護、又はせん断力向上のため、新設のコンクリート構造物の表面に有機系又は無機系のメッシュ状繊維シートを接着剤を介して貼付するコンクリート構造物補強工法が提案されている。
【０００３】
また、既存のコンクリート構造物の補強のため、既存コンクリート構造物の周囲に所定厚みの補強コンクリートを型枠を設置して形成し、補強コンクリートの表面保護、又はせん断力向上のため、補強コンクリートの表面に有機系又は無機系のメッシュ状繊維シートを接着剤を介して貼付するコンクリート構造物補強工法が提案されている。
【先行技術文献】
【特許文献】
【０００４】
【特許文献１】特開平９−１５８４９３号公報
【特許文献２】特開２０１１−９９２０９号公報
【発明の概要】
【発明が解決しようとする課題】
【０００５】
しかしながら、従来のコンクリート構造物補強工法は、コンクリート構造物表面に接着剤を介してメッシュ状繊維シートを貼付するので、コンクリート表面に接着剤を塗布する工程が必要であり、さらに、コンクリート表面とメッシュ状繊維シートの接着力を向上するためにコンクリート表面を租面にする工程が必要となり、作業時間が長くなり補強工事のコストが上昇するという問題を有する。
【０００６】
本発明は、従来技術の持つ課題を解決するもので、工期を短縮し、補強工事を安全で低コストにすることが可能なコンクリート構造物補強工法を提供することを目的とする。
【課題を解決するための手段】
【０００７】
本発明のコンクリート構造物補強工法は、前記課題を解決するために、内面に有機系又は無機系のメッシュ状繊維シートを貼付した型枠を設置し、型枠内に未硬化のコンクリートモルタルを充填し、コンクリートモルタルの硬化後脱型し、硬化したコンクリート表面にメッシュ状繊維シートが固着された状態とすることを特徴とする。
【０００８】
また、本発明のコンクリート構造物補強工法は、内面に有機系又は無機系のメッシュ状繊維シートを貼付した化粧ボード又は断熱ボードから形成される永久型枠を設置し、永久型枠内に未硬化のコンクリートモルタルを充填し、コンクリートモルタルを硬化させ永久型枠、メッシュ状繊維シート及びコンクリートを一体化することを特徴とする。
【０００９】
また、本発明のコンクリート構造物補強工法は、既存コンクリート構造物の周囲に一定間隔を開けて内面に有機系又は無機系のメッシュ状繊維シートを貼付した型枠を配置し、前記既存コンクリート構造物と型枠との間に未硬化のコンクリートモルタルを充填し、コンクリートモルタルの硬化後脱型し、硬化したコンクリート表面にメッシュ状繊維シートが固着された状態とすることを特徴とする。
【００１０】
また、本発明のコンクリート構造物補強工法は、既存コンクリート構造物の周囲に一定間隔を開けて内面に有機系又は無機系のメッシュ状繊維シートを貼付した化粧ボード又は断熱ボードから形成される永久型枠を設置し、永久型枠内に未硬化のコンクリートモルタルを充填し、コンクリートモルタルを硬化させ永久型枠、メッシュ状繊維シート及びコンクリートを一体化することを特徴とする。
【００１１】
また、本発明のコンクリート構造物補強工法は、既存コンクリート構造物の周囲に充填されるコンクリートモルタルと既存コンクリート構造物の一体化を向上させる定着アンカーを既存コンクリート構造物に複数打設することを特徴とする。
【００１２】
また、本発明のコンクリート構造物補強工法は、メッシュ状繊維シートをガラス繊維、炭素繊維、ビニロン繊維、ポリエチレン繊維のいずれかとすることを特徴とする。
【発明の効果】
【００１３】
内面に有機系又は無機系のメッシュ状繊維シートを貼付した型枠を設置し、型枠内に未硬化のコンクリートモルタルを充填し、コンクリートモルタルの硬化後脱型し、硬化したコンクリート表面にメッシュ状繊維シートが固着された状態とすることで、型枠内面に貼付したメッシュ状繊維シートに充填される未硬化のコンクリートモルタルのセメントペーストが浸み込み硬化し脱型後のコンクリート表面に確実に固定することが可能となり、コンクリート構造物の表面保護及びコンクリート構造物のせん断強度を向上することが可能となる。
内面に有機系又は無機系のメッシュ状繊維シートを貼付した化粧ボード又は断熱ボードから形成される永久型枠を設置し、永久型枠内に未硬化のコンクリートモルタルを充填し、コンクリートモルタルを硬化させ永久型枠、メッシュ状繊維シート及びコンクリートを一体化することで、コンクリート構造物の表面保護及びコンクリート構造物のせん断強度を向上することが可能となると共に、コンクリート表面の外観上の美観や断熱性を向上することが可能となる。
既存コンクリート構造物の周囲に一定間隔を開けて内面に有機系又は無機系のメッシュ状繊維シートを貼付した型枠を配置し、前記既存コンクリート構造物と型枠との間に未硬化のコンクリートモルタルを充填し、コンクリートモルタルの硬化後脱型し、硬化したコンクリート表面にメッシュ状繊維シートが固着された状態とすることで、型枠内面に貼付したメッシュ状繊維シートに充填される未硬化のコンクリートモルタルのセメントペーストが浸み込み硬化し脱型後のコンクリート表面に確実に固着することが可能となり、コンクリート構造物の表面保護及びコンクリート構造物のせん断強度を向上することが可能となる。
既存コンクリート構造物の周囲に一定間隔を開けて内面に有機系又は無機系のメッシュ状繊維シートを貼付した化粧ボード又は断熱ボードから形成される永久型枠を設置し、永久型枠内に未硬化のコンクリートモルタルを充填し、コンクリートモルタルを硬化させ永久型枠、メッシュ状繊維シート及びコンクリートを一体化することで、コンクリート構造物の表面保護及びコンクリート構造物のせん断強度を向上することが可能となると共に、コンクリート表面の外観上の美観や断熱性を向上することが可能となる。
既存コンクリート構造物の周囲に充填されるコンクリートモルタルと既存コンクリート構造物の一体化を向上させる定着アンカーを既存コンクリート構造物に複数打設することで、既存コンクリート構造物と硬化後のコンクリートモルタルを確実に一体化することが可能となる。
メッシュ状繊維シートをガラス繊維、炭素繊維、ビニロン繊維、ポリエチレン繊維のいずれかとすることで、入手が容易で引張強度が大きく、コンクリート構造物の表面保護及びコンクリート構造物のせん断強度を向上することが可能となる。
【図面の簡単な説明】
【００１４】
【図１】（ａ）（ｂ）本発明の実施形態を示す図である。
【図２】本発明の実施形態を示す図である。
【図３】（ａ）（ｂ）本発明の実施形態を示す図である。
【発明を実施するための形態】
【００１５】
本発明の実施形態を図により説明する。図１（ａ）（ｂ）は、新設されるコンクリート構造物として断面矩形のコンクリート柱に本発明のコンクリート構造物補強工法を適用した実施形態を示す図である。
【００１６】
構築するコンクリート柱の形状に沿ってベニヤ板製の型枠１を配置する。この実施形態では、断面コ字形の一対の型枠部材１ａ、１ｂを互いに向き合うように配置し断面矩形のコンクリート柱を構築する。型枠１内には、主筋２、副筋３を連結した鉄筋篭を設置する。
【００１７】
型枠部材１ａ、１ｂの内面には、有機系又は無機系のメッシュ状繊維シート４を貼付する。メッシュ状繊維シート４の型枠部材１ａ、１ｂの内面への貼付は、接着力の弱い糊等の接着剤をメッシュ状繊維シート４に複数個所塗り皺ができないように型枠部材１ａ、１ｂの内面に貼付する。型枠部材１ａ、１ｂの内面に剥離材を配置してその上に有機系又は無機系のメッシュ状繊維シート４を貼付しても良い。そうすることで脱型が容易になる。
【００１８】
有機系のメッシュ状繊維シート４としては、ビニロン繊維、ポリエチレン繊維であり、無機系のメッシュ状繊維シート４としては、ガラス繊維、炭素繊維である。これらの材料は入手が容易で引張強度が大きいので、硬化したコンクリート構造物と一体化することにより、コンクリート構造物表面のひび割れの発生の防止等の表面保護とコンクリート構造物のせん断強度を向上することが可能となる。
【００１９】
一対の型枠部材１ａ、１ｂ内に未硬化のコンクリートモルタルを充填する。未硬化のコンクリートモルタルが養生を経て硬化する。その際、未硬化のコンクリートモルタル中のセメントペーストが一対の型枠部材１ａ、１ｂの内面に貼付したメッシュ状繊維シート４の隙間に浸み込む。コンクリートモルタルの硬化に伴い、メッシュ状繊維シート４に浸み込んだセメントペーストも硬化する。脱型時、型枠内面に接着力の弱い接着剤で貼付されたメッシュ状繊維シート４は、硬化したコンクリート構造物の表面にしっかりと固定された状態となる。
【００２０】
このように、コンクリート構造物表面に一体化し表面保護及びせん断強度の向上に寄与するメッシュ状繊維シート４を接着剤の塗布することなくコンクリート構造物表面に固定することができ、作業効率を向上させ、補強工事のコストの低減化に寄与することが可能となる。
【００２１】
同じ図１（ａ）（ｂ）を用いて、新設されるコンクリート構造物補強工法の他の実施形態を説明する。この実施形態では、型枠１として化粧ボードや断熱ボードで形成される永久型枠を用いる。脱型する新設されるコンクリート構造物補強工法との相違は、永久型枠、メッシュ状繊維シート及びコンクリートが一体化することである。永久型枠、メッシュ状繊維シート及びコンクリートを一体化することで、コンクリート構造物の表面保護及びコンクリート構造物のせん断強度を向上すると共に、コンクリート表面の外観上の美観や断熱性を向上することが可能となる。
【００２２】
図２、図３（ａ）（ｂ）は、既存コンクリート構造物５の耐震補強に本願発明を適用した実施形態を示す図である。この実施形態では既存のコンクリート構造物５としてコンクリート梁６とコンクリート床スラブ７が一体となったものを例として説明する。
【００２３】
既存のコンクリート構造物５のコンクリート梁６の耐震性を向上させるために、コンクリート梁６の周囲に一定間隔を開けてベニヤ板製の型枠１を設置する。コンクリート梁６には、複数の定着アンカー８を打設する。
【００２４】
型枠１の内面には、有機系又は無機系のメッシュ状繊維シート４を貼付する。メッシュ状繊維シート４の型枠１の内面への貼付は、接着力の弱い糊等の接着剤をメッシュ状繊維シート４に複数個所塗り皺ができないように型枠１の内面に貼付する。型枠部材１ａ、１ｂの内面に剥離材を配置してその上に有機系又は無機系のメッシュ状繊維シート４を貼付しても良い。そうすることで脱型が容易になる。
【００２５】
有機系のメッシュ状繊維シート４としては、ビニロン繊維、ポリエチレン繊維であり、無機系のメッシュ状繊維シート４としては、ガラス繊維、炭素繊維である。これらの材料は入手が容易で引張強度が大きいので、硬化したコンクリートモルタルと一体化することにより、コンクリート表面のひび割れの発生の防止等の表面保護とコンクリート構造物のせん断強度を向上することが可能となる。
【００２６】
型枠１内に未硬化のコンクリートモルタルを充填する。未硬化のコンクリートモルタルが養生を経て硬化する。その際、未硬化のコンクリートモルタル中のセメントペーストが一対の型枠１の内面に貼付したメッシュ状繊維シート４の隙間に浸み込む。コンクリートモルタルの硬化に伴い、メッシュ状繊維シート４に浸み込んだセメントペーストも硬化する。脱型時、型枠内面に接着力の弱い接着剤で貼付されたメッシュ状繊維シート４は、硬化したコンクリート構造物の表面にしっかりと固定された状態となる。
【００２７】
既存コンクリート構造物５に打設された複数の定着アンカー８は充填される未硬化のコンクリートモルタルの硬化に伴い、既存コンクリート構造物５と補強用のコンクリートモルタルの一体化に寄与する。
【００２８】
このよに、既存コンクリート構造物５の耐震補強のために巻き立てられる補強コンクリート表面に一体化し表面保護及びせん断強度の向上に寄与するメッシュ状繊維シート４を接着剤の塗布することなく補強用のコンクリート表面に固定することができ、作業効率を向上させ、補強工事のコストの低減化に寄与することが可能となる。
【００２９】
同じ図２、図３（ａ）（ｂ）を用いて、既存コンクリート構造物５の耐震補強工法の他の実施形態を説明する。この実施形態では、型枠１として化粧ボードや断熱ボードで形成される永久型枠を用いる。脱型する既存のコンクリート構造物補強工法との相違は、永久型枠、メッシュ状繊維シート及びコンクリートが一体化することである。永久型枠、メッシュ状繊維シート及びコンクリートを一体化することで、コンクリート構造物の表面保護及びコンクリート構造物のせん断強度を向上すると共に、コンクリート表面の外観上の美観や断熱性を向上することが可能となる。
【符号の説明】
【００３０】
１： 型枠、１ａ、１ｂ：型枠部材、２：主筋、３：副筋、４：メッシュ状繊維シート、５：既存コンクリート構造物、６：コンクリート梁、７：コンクリート床スラブ、８：定着アンカー、
【図１】
2016125313.tif 000003
【図２】
2016125313.tif 000004
【図３】
2016125313.tif 000005